(57)【要約】【課題】コーナー部で幅木を固定する際にも従来の押さえ具を使用することが可能な手段を提供すること。【解決手段】幅木を押さえて固定するための押さえ具Ｂを装着可能な、装着部１０と、装着部１０を平面視して支柱Ｘの側方から離隔した箇所に位置するように装着部１０と支柱Ｘとを連絡する連絡部２０と、を少なくとも有する補助具Ａを用いる。この補助具Ａをコーナー部の支柱Ｘに取り付けることで、入隅型および出隅型の両方のコーナー部において、従来の押さえ具Ｂを用いた幅木Ｚの固定を可能とする。【選択図】図２
2020165209.tif 000002
【特許請求の範囲】
【請求項１】
作業足場を構成する支柱に取り付ける、幅木固定用補助具であって、
幅木を押さえて固定するための押さえ具を装着可能な、装着部と、
前記装着部を、平面視して前記支柱の側方から離隔した箇所に位置するように、前記装着部と前記支柱とを連絡する、連絡部と、
を少なくとも有することを特徴とする、
幅木固定用補助具。
【請求項２】
前記連絡部に、
幅木に設けた開口へと挿入可能な挿入部を設けてあることを特徴とする、
請求項１に記載の幅木固定用補助具。
【請求項３】
前記挿入部が、
平面視略Ｌ字状に設置された二つの幅木のうち、
一方の幅木に設けた開口へと差し込み可能な、第１のピンと、
他方の幅木に設けた開口へと差し込み可能な、第２のピンと、
を有することを特徴とする、
請求項２に記載の幅木固定用補助具。
【請求項４】
前記挿入部を設けてある連絡部を、前記装着部に対して回転自在に接続してあることを特徴とする、
請求項２または３に記載の幅木固定用補助具。
【請求項５】
前記連絡部が、
前記支柱を把持する、把持アームと、
前記把持アームの下方で前記支柱と接触する、受けアームと、
で構成してあることを特徴とする、
請求項１乃至４のうち何れか１項に記載の幅木固定用補助具。
【請求項６】
平面視略Ｌ字状に設置された二つの幅木において、一方の幅木に対し他方の幅木が当接した状態を呈する、コーナー部における幅木の固定方法であって、
作業足場を構成する支柱に取り付ける、幅木固定用補助具と、
幅木固定用補助具に取り付けて幅木を押さえて固定する、押さえ具と、を少なくとも用い、
前記幅木固定用補助具は、
前記押さえ具を装着可能な、装着部と、
前記装着部を、平面視して前記支柱の側方から離隔した箇所に位置するように、前記装着部と前記支柱とを連絡する、連絡部と、
前記連絡部に設け、各幅木に設けた開口へと挿入可能な第１のピンおよび第２のピンからなる、挿入部と、
を少なくとも有し、
前記挿入部を設けてある連絡部を、前記装着部に対して回転自在に接続してあり、
出隅型のコーナー部に使用する際に、
一方の幅木を第１のピンを介して連結し、他方の幅木を第２のピンを介して連結してから、装着部に取り付けた押さえ具でもって他方の幅木を押さえて固定することを特徴とする、
コーナー部における幅木の固定方法。
【請求項７】
平面視略Ｌ字状に設置された二つの幅木において、一方の幅木に対し他方の幅木が当接した状態を呈する、コーナー部における幅木の固定方法であって、
作業足場を構成する支柱に取り付ける、幅木固定用補助具と、
幅木固定用補助具または支柱に取り付けて幅木を押さえて固定する、２つの押さえ具と、を少なくとも用い、
前記幅木固定用補助具は、
前記押さえ具を装着可能な、装着部と、
前記装着部を、平面視して前記支柱の側方から離隔した箇所に位置するように、前記装着部と前記支柱とを連絡する、連絡部と、
前記連絡部に設け、各幅木に設けた開口へと挿入可能な第１のピンおよび第２のピンからなる、挿入部と、
を少なくとも有し、
前記挿入部を設けてある連絡部を、前記装着部に対して回転自在に接続してあり、
入隅型のコーナー部に使用する際に、
支柱に対し、幅木固定用補助具を、挿入部が幅木側に向けない姿勢に回動した姿勢で取り付け、
装着部に取り付けた一方の押さえ具でもって一方の幅木を押さえて固定し、
支柱に取り付けた他方の押さえ具でもって他方の幅木を押さえて固定することを特徴とする、
コーナー部における幅木の固定方法。
【発明の詳細な説明】
【技術分野】
【０００１】
本発明は、建設現場などで使用される作業足場で使用する幅木の固定作業を行うための、幅木固定用補助具および幅木の固定方法に関する。
【背景技術】
【０００２】
作業足場で使用する幅木の固定具として、図６に示す押さえ具が知られている。
この押さえ具Ｂは、支柱を把持するクランプ９１と、このクランプから鉤状に伸びるストッパ９２からなり、支柱に取り付けた状態で当該支柱の周囲に配置してある幅木を、ストッパ９２で挟み込むことで幅木を位置決めすることができる。
この押さえ具Ｂは、幅木が略Ｌ字状に配置してあるコーナー部では使用することができなかった。
【０００３】
コーナー部で使用する幅木の固定具として、以下の特許文献１に記載の取付具（１０）が開示されている。
この取付具（１０）は、幅木（５０）の厚さ方向の間隔をあけて並設配置されている第１及び第２挟み部材（３１，３２）を有しており、これらの第１及び第２挟み部材（３１，３２）の間に幅木（５０）を配置して挟み込むことにより。幅木を位置決めしている。
【０００４】
しかし、上記特許文献１に記載の取付具は、専用品となりコスト高に繋がる可能性が高い。また、特許文献１の図２に示す入隅型のコーナー部に使用する場合の取付具（１０）と、特許文献１の図８に示す出隅型のコーナー部に使用する場合の取付具（１０‘）とでも、各部材の構成が異なるため兼用もできず、汎用性が低いという問題も残されている。
【先行技術文献】
【特許文献】
【０００５】
【特許文献１】特開２０１７−８６５７号公報
【発明の概要】
【発明が解決しようとする課題】
【０００６】
よって、本願発明は、コーナー部において幅木を固定する際にも従来の押さえ具を使用することが可能な手段を提供することを少なくとも目的の一つとする。
【課題を解決するための手段】
【０００７】
上記課題を解決すべくなされた本願の第１発明は、作業足場を構成する支柱に取り付ける、幅木固定用補助具であって、幅木を押さえて固定するための押さえ具を装着可能な、装着部と、前記装着部を、平面視して前記支柱の側方から離隔した箇所に位置するように、前記装着部と前記支柱とを連絡する、連絡部と、を少なくとも有することを特徴とする。
また、本願の第２発明は、前記第１発明において、前記連絡部に、幅木に設けた開口へと挿入可能な挿入部を設けてあることを特徴とする。
また、本願の第３発明は、前記第２発明において、前記挿入部が、平面視略Ｌ字状に設置された二つの幅木のうち、一方の幅木に設けた開口へと差し込み可能な、第１のピンと、他方の幅木に設けた開口へと差し込み可能な、第２のピンと、を有することを特徴とする。
また、本願の第４発明は、前記第２発明または第３発明において、前記挿入部を設けてある連絡部を、前記装着部に対して回転自在に接続してあることを特徴とする。
また、本願の第５発明は、前記第１発明乃至第４発明において、前記連絡部が、前記支柱を把持する、把持アームと、前記把持アームの下方で前記支柱と接触する、受けアームと、で構成してあることを特徴とする、
また、本願の第６発明は、平面視略Ｌ字状に設置された二つの幅木において、一方の幅木に対し他方の幅木が当接した状態を呈する、コーナー部における幅木の固定方法であって、作業足場を構成する支柱に取り付ける、幅木固定用補助具と、幅木固定用補助具に取り付けて幅木を押さえて固定する、押さえ具と、を少なくとも用い、前記幅木固定用補助具は、前記押さえ具を装着可能な、装着部と、前記装着部を、平面視して前記支柱の側方から離隔した箇所に位置するように、前記装着部と前記支柱とを連絡する、連絡部と、前記連絡部に設け、各幅木に設けた開口へと挿入可能な第１のピンおよび第２のピンからなる、挿入部と、を少なくとも有し、前記挿入部を設けてある連絡部を、前記装着部に対して回転自在に接続してあり、出隅型のコーナー部に使用する際に、一方の幅木を第１のピンを介して連結し、他方の幅木を第２のピンを介して連結してから、装着部に取り付けた押さえ具でもって他方の幅木を押さえて固定することを特徴とする。
また、本願の第７発明は、平面視略Ｌ字状に設置された二つの幅木において、一方の幅木に対し他方の幅木が当接した状態を呈する、コーナー部における幅木の固定方法であって、作業足場を構成する支柱に取り付ける、幅木固定用補助具と、幅木固定用補助具または支柱に取り付けて幅木を押さえて固定する、２つの押さえ具と、を少なくとも用い、前記幅木固定用補助具は、前記押さえ具を装着可能な、装着部と、前記装着部を、平面視して前記支柱の側方から離隔した箇所に位置するように、前記装着部と前記支柱とを連絡する、連絡部と、前記連絡部に設け、各幅木に設けた開口へと挿入可能な第１のピンおよび第２のピンからなる、挿入部と、を少なくとも有し、
前記挿入部を設けてある連絡部を、前記装着部に対して回転自在に接続してあり、入隅型のコーナー部に使用する際に、支柱に対し、幅木固定用補助具を、挿入部が幅木側に向けない姿勢に回動した姿勢で取り付け、装着部に取り付けた一方の押さえ具でもって一方の幅木を押さえて固定し、支柱に取り付けた他方の押さえ具でもって他方の幅木を押さえて固定することを特徴とする。
【発明の効果】
【０００８】
本発明によれば、以下に記載する効果のうち少なくとも何れか１つの効果を奏する。
（１）既存の押さえ具を支柱の側方から離隔した位置に装着可能な連絡部および装着部を設けることで、当該押さえ具でもって幅木を固定することができる。
（２）挿入部を幅木に設けた開口に差し込むことで、より確実に幅木を固定することができる。
（３）挿入部を構成する第１のピンおよび第２のピンを、コーナー部における平面視略Ｌ字状に設置された二つの幅木の開口にそれぞれ差し込むことで、より確実に幅木を固定することができる。
（４）挿入部を設けてある連絡部を、装着部に対して回転自在に接続してあることで、挿入部が幅木の開口にあわずに干渉するような現場での使用にも支障が生じない。
（５）連絡部を把持アームと受けアームで構成し、支柱に対し補助具を二点で取り付けるよう構成することで、補助具の取付状態の安定性を高めることができる。
（６）幅木よりも高い位置では、クランプを設けた把持アームでもって補助具を支柱に把持した状態とし、高さ方向で幅木と重なる低い位置では受けアームによる支柱との接触のみとすることで、クランプと幅木との干渉の恐れもない。
（７）入隅型のコーナー部および出隅型のコーナー部何れにも使用でき、支柱等の縦材がある箇所でも使用することができるため、汎用性が高い。
【図面の簡単な説明】
【０００９】
【図１】実施例１に係る補助具の概略斜視図。
【図２】取付例（１）に係る取付手順を示す概略斜視図。
【図３】受けアームと各幅木との連結状態を示す概略図。
【図４】取付例（２）に係る取付状体を示す概略斜視図。
【図５】取付例（３）に係る取付状体を示す概略斜視図。
【図６】押さえ具の概略斜視図。
【発明を実施するための形態】
【００１０】
以下、図面を参照しながら、本発明の実施例について説明する。
【実施例１】
【００１１】
＜１＞全体構成（図１）
本発明に係る幅木固定用補助具Ａ（以下、単に「補助具Ａ」ともいう。）は、仮設足場を構成する支柱に取り付けつつ、別途用意する押さえ具を装着するために用いる補助部材である。
図１に本発明に係る幅木固定用補助具の概略斜視図を示す。
本実施例に係る補助具Ａは、押さえ具を装着するための装着部１０と、装着部１０を平面視して前記支柱の側方から離隔した箇所に位置するように、装着部１０と支柱とを連絡する、連絡部２０とを少なくとも有する。
そして、この補助具Ａを、仮設足場を構成する支柱に取り付けた状態から、新たに装着部１０へと別部材の押さえ具を装着することで、補助具Ａと押さえ具とでもって、足場に配置した幅木を固定することができる。
以下、各要素の詳細について説明する。
【００１２】
＜２＞装着部（図１）
装着部１０は、押さえ具を装着するための部材である。
装着部１０は、任意の長さを有する単菅パイプを用いており、この単菅パイプの側周に、後述する連絡部２０を接続する。
【００１３】
＜２．１＞装着部の長さ
装着部１０の長さは、補助具Ａの取付時に装着部１０の下端が布板などの構成部材と当接した際に、後述する挿入部８０の位置が幅木に設けた孔部と揃うように設定しておくことが好ましい。
【００１４】
＜３＞連絡部（図１）
連絡部２０は、装着部１０を平面視して支柱の側方から離隔した箇所に位置するように、装着部１０と支柱とを連絡するための部材である。
連絡部２０は、前記した支柱との連絡態様を実現できる機能を有する範囲で任意の形状、構造を採用することができる。
本実施例では、連絡部２０を、支柱の長手方向に間隔を空けて配置し、支柱の側方から張り出す様に伸びて前記装着部１０に接続する、一対のアームで構成している。この一対のアームは、装着部１０の長手方向に間隔を空けつつ、互いに略並行に延伸する把持アーム２０ａおよび受けアーム２０ｂで構成している。
【００１５】
＜４＞把持アーム（図１）
把持アーム２０ａは、一端側で支柱を把持することで、他端側で把持アーム２０ａに接続している装着部１０を、所定の位置に保持するための部材である。
本実施例では、把持アーム２０ａを任意の長さを有するフレーム３０と、フレームの一端に設けたクランプ４０で構成し、フレームの他端は装着部１０の側面と溶接によって接合している。
このクランプ４０により支柱を把持することで、装着部１０と支柱との間の所定の離隔距離で連絡する。
【００１６】
＜５＞受けアーム（図１）
受けアーム２０ｂは、把持アーム２０ａの把持部分と異なる位置で支柱を受けることで、把持アーム２０ａに接続している装着部１０の安定性を高めるための部材である。
本実施例では、受けアーム２０ｂが、任意の長さを有する中間部５０と、中間部５０の一端に設けた装着部１０との接続部６０と、中間部５０の他端に設けた接触部７０と、中間部５０に形成した挿入部８０と、を設けている。
【００１７】
＜５．１＞中間部（図１）
中間部５０は、装着部１０と支柱との離隔距離を規定するための部位である。
中間部５０の形状・構造は特段限定しない。
本実施例では、中間部５０を、鋼板を三箇所折曲して対向する一対の側壁５１と、後壁５２および前壁５３を有する構成としている。
一方の側壁５１ａには、装着部１０に形成した挿通孔と連通する貫通孔を設けており、他方の側壁５１ｂには、接触部７０を接合している。
後壁５２は、一対の側壁５１を繋いでおり、前壁５３は、一方の側壁５１から折曲しつつ、他方の側壁５１との間に空間を設けて、幅木を導入するための導入口５４を確保している。
【００１８】
＜５．２＞接続部（図１）
接続部６０は、受けアーム２０ｂを装着部１０に接続するための部位である。
接続部６０による装着部１０との接続態様は特段限定せず、溶接やボルト結合などを採用することができる。
本実施例では、装着部１０に形成した挿通孔と、一方の側壁５１ａに設けた貫通孔を介してボルト・ナットによるピン締結を用いることにより、装着部１０に対して、受けアーム２０ｂを回動可能な構成に接続している。
当該構成とすることにより、現場条件に応じて後述する中間部５０に設けた挿入部８０を利用する場合と利用しない場合とで、受けアーム２０ｂの姿勢を変更することができる。
【００１９】
＜５．３＞接触部（図１）
接触部７０は、受けアーム２０ｂを支柱と接触させるための部位である。
この取付具は、支柱と当接するタイプ、支柱を把持するタイプ、支柱を狭持するタイプなどを選択することができる。
本実施例では、平面視して略コ字型形状を呈し、支柱を両側から挟むことで、把持アーム２０ａによる取付の補助となる、受け金具を用いている。
【００２０】
＜５．４＞挿入部（図１）
挿入部８０は、幅木に設けた孔部へと挿入することで、幅木を位置決めするための部位である。
挿入部８０の形状は、特段限定しないが、幅木の平面を貫通してなる孔部に挿入できる長さにまで突出してあるピンを設けておくことが望ましい。
本実施例では、挿入部８０を、平面視略Ｌ字状に設置された二つの幅木に設けた開口に差込可能な第１のピン８１および第２のピン８２で構成している。
【００２１】
＜５．４．１＞第１のピン・第２のピン（図１）
第１のピン８１は、前記中間部５０を構成する後壁５２から前壁５３を貫通するように伸びる棒材で構成している。
第２のピン８２は、前記中間部５０を構成する他方の側壁５１から一方の側壁５１側に伸びる棒材で構成している。
よって、第１のピン８１と第２のピン８２は、互いの長手方向が平面して略直交方向を形成することとなる。
【００２２】
＜６＞押さえ具（図６）
押さえ具Ｂは、装着部１０に設けた状態から、幅木を押さえて固定するための治具である。
押さえ具Ｂの装着部１０との取付態様は特段限定しないが、装着部１０に脱着可能な態様とすることが好ましい。これは、支柱と幅木との位置関係が異なる場合や、コーナー部が、入隅型か出隅型かによっても本発明に係る補助具Ａの取付位置が変わる場合があることから、当該補助具Ａを使用する現場に応じて、押さえ具Ｂの位置を調整することができる点で有益なためである。
本実施例の押さえ具Ｂは、図６に示す、装着部１０との取付部９１と、取付部９１から鉤状に伸びるストッパ９２と、で構成した公知の押さえ具Ｂを用いている。
【００２３】
＜６．１＞取付部（図６）
取付部９１は、押さえ具Ｂを装着部１０に取り付ける為の部位である。
取付部９１は、装着部１０に対して脱着が容易な機構を設けることが望ましい。
本実施例では、取付部９１として単管クランプを用いている。
【００２４】
＜６．２＞ストッパ（図６）
ストッパ９２は、押さえ具Ｂを装着部１０に取り付けた状態で、幅木を仮設足場の通路側から押さえることで、幅木を固定するための部材である。
本実施例では、取付部９１から側方に伸び、下方に折曲してなる略Ｌ字状の棒材からなる。
【００２５】
＜７＞取付例１（図２，３）（出隅型コーナー部での使用（１））
図３，４を参照しながら、本実施例に係る補助具Ａと、押さえ具Ｂとを用いて架設足場のコーナー部の出隅部に平面視略Ｌ字状に配置する２つの幅木を固定した状態を説明する。
本例では、支柱Ｘを介して略直交に連結した横架材のうち、一方の横架材に布板Ｙを係止しており、この布板Ｙの妻側方向および桁側方向にそれぞれ幅木を設置することを想定している。
なお、後述する手順例はあくまで一例であり、作業に矛盾のない範囲で適宜手順を入れ換えたり、同時に進めたりすることができる。
【００２６】
＜７．１＞補助具の設置（図２）
幅木の設置予定のコーナー部の支柱Ｘに、本実施例に係る補助具Ａを、把持アーム２０ａのクランプ４０と、受けアーム２０ｂの接触部７０を介して取り付ける。
このとき、装着部１０の下端は、布板Ｙの妻側方向に配置する他方の幅木Ｚ２を設置する予定箇所に敷き渡したカバーと当接している。
また、受けアーム２０ｂは、該受けアーム２０ｂに設けた導入孔５４や第２のピン８２が、他方の幅木Ｚ２側を向いた姿勢を呈している。
【００２７】
＜７．２＞幅木の設置（図２，３）
次に、補助具Ａの挿入部８０を、各幅木の端部近傍に設けた孔部Ｚ１１，Ｚ１２に差し込むように、各幅木を配置する。
図３に、各ピンと幅木との連結状態を示す。
まず、布板Ｙの桁側方向に伸びる一方の幅木Ｚ１を配置し、当該幅木の端部を、受けアーム２０ｂの開口に差し込んで、当該幅木の端部近傍に設けた孔部Ｚ１１に第１のピン８１を差し込んで連結する。
その後、布板Ｙの妻側方向に伸びる他方の幅木Ｚ２を配置し、当該幅木に設けた孔部Ｚ２１に第２のピン８２を差し込んで連結する。
最終的に、一方の幅木Ｚ１に他方の幅木Ｚ２が当接しつつ、各ピン８１，８２が各孔部Ｚ１１，Ｚ２１に差し込まれた状態となる。
【００２８】
＜７．３＞押さえ具Ｂの装着（図２）
補助具Ａの装着部１０に押さえ具Ｂを装着し、他方の幅木Ｚ２を押さえ具Ｂに設けたストッパ９２と装着部１０との間で他方の幅木Ｚ２を挟む込んで位置決めする。
一方の幅木Ｚ１は、位置決めされた他方の幅木Ｚ２と、支柱Ｘとの間で端部が挟み込まれているため、実質的に位置決めされた状態となる。
【００２９】
＜７．４＞まとめ
以上の工程によって、出隅型のコーナー部では、本発明に係る補助具Ａと、押さえ具Ｂとの組合せによって、平面視して略Ｌ字状に配置した幅木を固定することができる。
【００３０】
＜８＞取付例２（図４）（出隅型コーナー部での使用（２））
次に、図４を参照しながら、前記した取付例（１）において、幅木の当接態様を入れ換えた場合の取付例について説明する。
【００３１】
＜８．１＞概要（図４）
本例では、布板Ｙの妻側方向に配置する幅木を一方の幅木Ｚ１とし、布板Ｙの桁側方向に配置する幅木を他方の幅木Ｚ２として、一方の幅木Ｚ１に、他方の幅木Ｚ２が当接した状態となっている。
この場合、本発明に係る補助具Ａは、他方の幅木Ｚ２側に取り付けつつ、取付例１の状態から、押さえ具Ｂを支柱Ｘに対して略１８０度回転させ、受けアーム２０ｂも略１８０度回転させて、導入孔５４や第２のピン８２が他方の幅木Ｚ２側を向く姿勢としている。
この場合、一方の幅木Ｚ１を設置して孔部Ｚ１１に第１のピン８１を差し込んで連結してから、他方の幅木Ｚ２を設置して孔部Ｚ２１に第２のピン８２を差し込んで連結する。
本取付例によっても、本発明に係る補助具Ａと、押さえ具Ｂとの組合せによって、平面視して略Ｌ字状に配置した幅木を固定することができる。
【００３２】
＜８．２＞まとめ
このように、幅木の当接態様に応じて、押さえ具Ｂの向きと挿入部８０を有する連絡部２０（受けアーム２０ｂ）の向きを変えることによって、取付例（１）と取付例（２）のような切替使用が可能となる。
【００３３】
＜９＞取付例３（図５）（入隅型コーナー部での使用）
次に、図５を参照しながら、本実施例に係る補助具Ａと、押さえ具Ｂとを用いて架設足場における入隅型のコーナー部において、平面視略Ｌ字状に配置する２つの幅木を固定した状態を説明する。
【００３４】
＜９．１＞補助具の設置（図５）
幅木の設置予定のコーナー部の支柱Ｘに、本実施例に係る補助具Ａを、前記把持アーム２０ａのクランプ４０と、前記受けアーム２０ｂの接触部７０を介して取り付ける。
このとき、補助具Ａは、一方の幅木Ｚ１側に設置する。
また、受けアーム２０ｂは、該受けアーム２０ｂに設けた挿入部８０による導入口５４や第２のピン８２を一方の幅木Ｚ１側を向けずに、後壁５２を一方の幅木Ｚ１側に向けた姿勢となるよう回転している。
そのため、補助具Ａと幅木との間では、第１のピン８１および第２のピン８２を介した連結は行われない。
【００３５】
＜９．２＞幅木の設置（図５）
次に、一方の幅木Ｚ１と他方の幅木Ｚ２を配置する。
前記したように、補助具Ａと幅木との間では、挿入部８０を介した連結は行われないため、一方の幅木Ｚ１と他方の幅木Ｚ２との間での当接関係や、設置順番は問わない。また、前記補助具Ａと幅木の設置順も限定しない。
【００３６】
＜９．３＞押さえ具の装着（図５）
補助具Ａの装着部１０に押さえ具Ｂ１を装着し、一方の幅木Ｚ１を押さえ具Ｂに設けたストッパ９２と装着部１０との間で一方の幅木Ｚ１を挟む込んで位置決めする。
また、支柱Ｘにも別途押さえ具Ｂ２を装着し、他方の幅木Ｚ２を押さえ具Ｂに設けたストッパ９２と支柱Ｘとの間で他方の幅木Ｚ２を挟む込んで位置決めする。
【００３７】
＜９．４＞まとめ
以上の工程によって、入隅型のコーナー部では、本発明に係る、１つの補助具Ａと、２つの押さえ具Ｂ１，Ｂ２との組合せによって、平面視して略Ｌ字状に配置した幅木を固定することができる。
【実施例２】
【００３８】
前記した実施例１では、本発明に係る補助具Ａの装着部１０に、別途押さえ具Ｂを装着する態様としていたが、本発明では、この押さえ具Ｂを構成するストッパ９２を、予め補助具Ａの装着部１０に接合して一体化した構成とすることで、補助具Ａそのものに、予め幅木の押さえ機能を付与した態様としてもよい。
【符号の説明】
【００３９】
Ａ  幅木固定用補助具（補助具）
１０  装着部
２０  連絡部
２０ａ  把持アーム
２０ｂ  受けアーム
３０  フレーム
４０  クランプ
５０  中間部
５１  側壁
５２  後壁
５３  前壁
５４  導入口
６０  接続部
７０  接触部
８０  挿入部
８１  第１のピン
８２  第２のピン
Ｂ  押さえ具
９１  取付部
９２  ストッパ
Ｘ  支柱
Ｙ  布板
Ｚ１  一方の幅木
Ｚ１１  孔部
Ｚ２  他方の幅木
Ｚ２１  孔部
【図１】
2020165209.tif 000003
【図２】
2020165209.tif 000004
【図３】
2020165209.tif 000005
【図４】
2020165209.tif 000006
【図５】
2020165209.tif 000007
【図６】
2020165209.tif 000008